(57)【特許請求の範囲】
【請求項１】
遠位端と近位端を有する雄型コネクタであって、前記近位端に管を受け入れる第１の管ポケットと、前記遠位端に複数の尖端部とを備え、前記複数の尖端部は各々遠位端に開口部を有して前記第１の管ポケットと流体接続する雄型コネクタと、
遠位端と近位端を有する雌型コネクタであって、前記遠位端に管を受け入れる第２の管ポケットと、前記近位端に複数の内側溝を備えた空洞とを備え、前記空洞を構成する前記複数の内側溝の各内側溝は、前記雄型コネクタの前記複数の尖端部の、前記各内側溝に対応する各尖端部と密着的に嵌合し、前記複数の内側溝は各々遠位端に開口部を有して前記第２の管ポケットと流体接続する雌型コネクタと、
を有する、流体投与と共に用いることができる医療用接続装置。
【請求項２】
前記雄型コネクタは、さらにスナップ嵌め接続部のスナップ部を備える請求項１に記載の、流体投与と共に用いることができる医療用接続装置。
【請求項３】
前記雌型コネクタは、さらに、隆起部を備え、前記隆起部は前記雄型コネクタの前記スナップ部と協働して前記雄型コネクタを雌型コネクタに固定する請求項２に記載の、流体投与と共に用いることができる医療用接続装置。
【請求項４】
前記スナップ部と前記隆起部とが協働して前記雄型コネクタを前記雌型コネクタに固定することによって液密シールを形成する請求項３に記載の、流体投与と共に用いることができる医療用接続装置。
【請求項５】
前記第２の管ポケットは、さらに、前記第２の管ポケット内に配置される、基部と少なくとも１つのスタンドオフを備え、前記少なくとも１つのスタンドオフは、受け入れた前記管が前記第２の管ポケットの前記基部にシールを形成するのを防止する請求項１に記載の、流体投与と共に用いることができる医療用接続装置。
【請求項６】
前記雄型コネクタは、さらに、前記スナップ部と対になる翼部を備え、前記翼部が変形すると、前記翼部は前記雌型コネクタの前記隆起部から前記スナップ部を解放する請求項３に記載の、流体投与と共に用いることができる医療用接続装置。
【請求項７】
前記雄型コネクタは、さらに、ノッチを備え、前記ノッチはスナップ部を曲げて開いて前記隆起部から解放する請求項６に記載の、流体投与と共に用いることができる医療用接続装置。
【請求項８】
前記雄型コネクタは、さらに、ネジ山を備え、
前記雌型コネクタは、さらに、ネジ山を備え、
前記雌型コネクタの前記ネジ山は前記雄型コネクタの前記ネジ山と協働して前記雄型コネクタを前記雌型コネクタに固定する請求項１に記載の、流体投与と共に用いることができる医療用接続装置。
【発明の詳細な説明】
【技術分野】
【０００１】
開示する実施形態は医療用の接続装置に関し、より詳細には、静脈内流体投与などの流体投与と共に用いることができる医療用接続装置に関する。
【背景技術】
【０００２】
ルアー接続は、シリンジ、カテーテル及び静脈ラインなどの様々な医療機器を相互に取り付けるための典型的な機構である。そしてこれらのラインは、一般にカテーテルを介して患者に接続される。典型的なルアー接続では、雄型コネクタと雌型コネクタが互いに結合され、接続部を形成及び固定する。ルアー接続は、組み立てが迅速且つ容易であるため、医療業界において広く用いられている。
【０００３】
しかし、この使いやすさに伴って誤りが起こるリスクが高くなる。例えば硬膜外ラインなどの高リスクの接続では、誤ったラインの接続が、患者にとって死亡を含めた重大な結果をまねく恐れがある。標準的なルアー・コネクタは静脈内流体注入と硬膜外注入の両方に用いられるため、偶発的に誤ったラインを接続する高いリスクが存在する。また一般に、様々な病気に対する診療を受ける患者のベッドサイド付近には、他のラインも見られる。したがって静脈ラインと共に使用するための雄型コネクタを、硬膜外ラインと共に使用するためのものと容易に混同する可能性がある。こうした混同によって誤接続が行われ、その結果、薬剤又は空気が意図されない部位に誤って送達され、深刻な事態をまねく恐れがある。
【０００４】
現在のところ、誤接続の予防策には、ルアーを接続する前に接続を再確認することが含まれる。或いは、異なるコネクタ及びそれらが取り付けられるラインに、特別にラベルを付けることもできる。ラベル付けは、管類に色付きテープを貼ること、又はコネクタ自体に色分けされたマーカを付けることによって実施可能である。
【発明の概要】
【発明が解決しようとする課題】
【０００５】
こうした予防手段は、誤接続の問題を解決することを企図しているが、これらの予防策はすべて積極的な軽減ステップ（ｍｉｔｉｇａｔｉｎｇ ｓｔｅｐ）を必要とする。これは、緊急事態において作業を行うことが多く、時間を要する警戒処置を実施する余裕がない看護師及び医者にとっては問題であり、実行できない可能性がある。
【０００６】
したがって、雄雌型ルアーの誤接続のリスクが最小限に抑えられるか、又は全くなく、誤接続を回避するために病院職員による追加のステップを必要としない安全なルアー接続が求められている。
【課題を解決するための手段】
【０００７】
これらの課題を解決するために、請求項１に記載の、流体投与と共に用いることができる医療用接続装置は、
遠位端と近位端を有する雄型コネクタであって、前記近位端に管を受け入れる第１の管ポケットと、前記遠位端に複数の尖端部とを備え、前記複数の尖端部は各々遠位端に開口部を有して前記第１の管ポケットと流体接続する雄型コネクタと、
遠位端と近位端を有する雌型コネクタであって、前記遠位端に管を受け入れる第２の管ポケットと、前記近位端に複数の内側溝を備えた空洞とを備え、前記空洞を構成する前記複数の内側溝の各内側溝は、前記雄型コネクタの前記複数の尖端部の、前記各内側溝に対応する各尖端部と密着的に嵌合し、前記複数の内側溝は各々遠位端に開口部を有して前記第２の管ポケットと流体接続する雌型コネクタと、
を有する。
【０００８】
これまでに述べた要求及び他の要求は、少なくとも１つの尖端部を備えた本体を含む雄型コネクタを有する接続装置を提供する、さらに他の開示する実施例によって満たされる。雄型コネクタはさらに、スタンドオフを備えた管の穴（ｐｏｃｋｉｎｇ）を含む。スタンドオフは、流体が管ポケットの周縁経路を通って流れることができるように構成される。雄型コネクタは、少なくとも１つの取り付け部も含む。接続装置は、少なくとも１つの溝を備えた本体を含む雌型コネクタも有する。溝は、雄型コネクタの尖端部に対応し、雄型コネクタが雌型コネクタに挿入されると雄型コネクタを整列させる。雌型コネクタは、雄型コネクタの取り付け部と協働して、雄型コネクタを雌型コネクタの中に固定する隆起部を含む。雌型コネクタはさらに、スタンドオフを備えた管ポケットを含む。
【０００９】
開示する実施形態に関する前述の構成、態様並びに利点は、以下の詳細な記述及び添付図面からさらに明らかになるであろう。
【図面の簡単な説明】
【００１０】
【図１】接続されていない状態における、特許請求の範囲の一部ではない、参考例２の医療用接続装置の雄型コネクタ及び雌型コネクタの断面図である。
【図２】接続された状態における、図１の接続装置の雄型コネクタ及び雌型コネクタの断面図である。
【図３】図１の接続装置の雌型コネクタ及び典型的な雄型ルアーの断面図である。
【図４】接続されていない状態における、特許請求の範囲の一部ではない、参考例２の医療用接続装置の雄型コネクタ及び雌型コネクタの断面図である。
【図５】部分的に接続された状態における、図４の接続装置の雄型コネクタ及び雌型コネクタの断面図である。
【図６】接続された状態における、図４の接続装置の雄型コネクタ及び雌型コネクタの断面図である。
【図７】部分的に接続された状態における、図４の接続装置の溝穴及び支柱の拡大部分斜視図である。
【図８】特許請求の範囲に記載された医療用接続装置の一実施形態の雄型コネクタの斜視図である。
【図９】図８の側面図である。
【図１０】図９の断面図である。
【図１１】図８の接続装置の雌型コネクタの斜視図である。
【図１２】図１１の断面図である。
【図１３】接続された状態における、図８及び１１の雄型及び雌型コネクタの断面図である。
【図１４】特許請求の範囲の一部ではない、参考例２の医療用接続装置の雄型コネクタの斜視図である。
【図１５】図１４の接続装置の雌型コネクタの斜視図である。
【図１６】接続された状態における、図１４及び１５の雄型及び雌型コネクタの断面図である。
【発明を実施するための形態】
【００１１】
本明細書で記載する対象は、多くの形態として実施可能であることが企図されている。したがって、以下に詳しく記載する実施形態は現在好ましい実施形態であり、限定するものと考えるべきではない。
【００１２】
（参考例１）
開示する参考例１は、雄雌型ルアー接続装置の誤接続に関連する問題に対処しており、この誤接続の恐ろしい結果は、いつか危険な状況を引き起こし得る。開示する参考例１は、遠位端及び近位端を有する本体と、開口部がその遠位端に配置された、本体からの突起部とを含む雄型コネクタを有する接続装置を提供することによって、こうした問題を少なくとも部分的に解決する。開口部は、本体内に配置された流体通路と流体連通する。突起部は長さＬ１を有する。接続装置はさらに、遠位端及び近位端を有する本体と、本体内に配置された流体通路と、本体内の流体通路に垂直な部材とを有する雌型コネクタを含む。この部材は雌型コネクタの近位端から長さＬ２のところに位置決めされ、突起部が部材を越えて挿入されるのを妨げ、また長さＬ１を有する突起部を備えた雄型コネクタのみが雌型コネクタに完全に挿入可能になるように、Ｌ１はＬ２にほぼ等しい。こうすることによって、典型的な雄型コネクタの挿入を防止する。
【００１３】
（参考例２）
上記問題は、溝穴を有する突起部を含む雄型コネクタを有する接続装置を提供する参考例２によっても対処される。この接続装置は、本体内の流体通路に垂直な支柱（ｐｏｓｔ）を有する雌型コネクタも含む。支柱は、雄型コネクタを雌型コネクタに挿入する際、対応する突起部の溝穴と係合し、溝穴のない雄型コネクタの突起部が雌型コネクタに挿入されるのを妨げるように構成され、接続装置は、溝穴を含む雄型コネクタを有している。接続装置は、支柱を有する雌型コネクタも含む。支柱は、対応する雄型コネクタの溝穴と係合するように構成される。支柱は、専用の雄型コネクタのみを雌型コネクタに完全に挿入することができるように配置される。
【００１４】
（特許請求の範囲に記載された医療用接続装置の実施形態）
特許請求の範囲に記載された医療用接続装置の実施形態は、少なくとも１つの尖端部を有する本体を含む雄型コネクタを有する接続装置を提供する。雄型コネクタはさらに、スタンドオフを備えた管の穴（ｐｏｃｋｉｎｇ）を含む。スタンドオフは、流体が管ポケット（ｔｕｂｉｎｇ ｐｏｃｋｅｔ）の周縁経路を通って流れることができるように構成される。雄型コネクタは、少なくとも１つの取り付け部も含む。接続装置は、少なくとも１つの溝を有する本体を含む雌型コネクタも備える。溝は雄型コネクタの尖端部に対応し、雄型コネクタが雌型コネクタに挿入されると、雄型コネクタを整列させる。雌型コネクタは、雄型コネクタの取り付け部と協働して、雄型コネクタを雌型コネクタの中に固定する隆起部を含む。雌型コネクタはさらに、スタンドオフを備えた管ポケットを含む。
【００１５】
（参考例１）
図１は、参考例１の接続装置１０を示している。装置は、本体１４を含む雄型コネクタ１２を有している。本体１４は遠位端１６及び近位端１８を有する。本明細書において「遠位」とは患者に向かう方向を指すことに留意すべきである。「近位」とは患者から離れる方向、或いはシリンジ、又は静脈（ＩＶ）バッグなどの他の収集若しくは分配装置に向かう方向を指す。図１に見られるように、雄型コネクタ１２は全体的にカップ形の設計を有し、陥凹部２１が雌型コネクタと結合する（つがう）ように構成される。突起部１９が、陥凹部２１の中を本体１４の遠位端１６に向かって延びている。さらに詳しく記述するように、突起部１９は雌型コネクタの結合部の中に受け入れられる。突起部１９は、流体通路２２と流体連通する開口部２０を含む。したがって流体は、妨げられずに流体通路２２を通り、開口部２０から流出することができる。
【００１６】
雄型コネクタ１２は、図１に示す雌型コネクタ２６としっかり結合するように構成されるが、他の雄型コネクタをしっかり結合させることはできない。図１に示すように、接続装置１０はさらに雌型コネクタ２６を有している。雌型コネクタ２６は本体２８を含む。本体２８は、遠位端３０及び近位端３２を有する。本体２８の中に、流体通路３４が配置される。図１の雄型コネクタ１２は、流体通路２２、３４を互いに整列させるように雌型コネクタ２６に挿入することができる。流体通路２２、３４は、典型的な大きさの静脈管類（ｉｎｔｒａｖｅｎｏｕｓ ｔｕｂｉｎｇ）に適合するような大きさに作製される。しかし、他のタイプの雄型コネクタは、雌型コネクタ２６に完全に挿入することができない。
【００１７】
雌型コネクタ２６は部材３６を含む。部材３６は、雌型コネクタ２６の流体通路３４に垂直に固定して位置決めされる。部材３６は、雌型コネクタ２６の遠位端３０のすぐ近くには位置しないように、浅く配置される。部材３６は、図２に示すように、専用の雄型コネクタ１２のみを雌型コネクタ２６に完全に挿入することができるように、流体通路３４内に位置決めされる。突起部１９の長さＬ１は、雌型コネクタ２６の近位の開口部２３と部材３６との間の長さＬ２に実質的に等しい。典型的な雄型コネクタは、突起部が雄型コネクタの遠位端まで延びるような、さらに長い突起部を含んでいる。
【００１８】
図３は、典型的な雄型ルアーを雌型コネクタ２６に挿入する試みを示している。誤った雄型コネクタが雌型コネクタ２６に挿入された場合、部材３６は、コネクタ１２、２６が適当に結合するのを妨げる。対照的に、図２では専用の雄型コネクタ１２及び雌型コネクタ２６を使用して接続が行われ、雄型及び雌型コネクタ１２、２６が固定されると、液密シールを形成することができる。部材３６は、患者にとって場合によっては致命的な状況になる恐れがある、誤った雄型コネクタの完全な挿入は起こり得ないことを保証する。
【００１９】
参考例１では、雄型コネクタ１２はねじ切りされた係止ハブ４２を含み、雌型コネクタ２６の本体２８もねじ切りされる。したがって、係止ハブ４２を雌型コネクタ本体２６の上及びそのまわりにねじ込み、雄型及び雌型コネクタ１２、２６を固定することができる。
【００２０】
先に論じたように、雌型コネクタ２６の部材３６は、誤った雄型コネクタ１２の挿入を妨げる。さらに雌型コネクタ２６には、外見上、典型的な雌型コネクタに見られる典型的な係止タブがない。このことはさらに、開示する雌型コネクタ２６が典型的な雄型ルアーと共に使用できないことを示すものである。
【００２１】
（参考例２）
参考例２では、図４〜７によって示すように、雄型コネクタ１２は溝穴３８を含む。溝穴３８は、雄型コネクタ１２の本体１４の外面のまわりに回転するように切り取ることができる。図４〜７に示すように、雌型コネクタ２６は支柱４０を含み、支柱４０は円筒形に成形すること、又は溝穴と相互作用するように構成された他の形とすることができる。支柱４０は、雄型コネクタ１２が雌型コネクタ２６に挿入されると、雄型コネクタ１２の溝穴３８と係合するように構成される。
【００２２】
図５〜７によって示すように、雄型コネクタ１２が雌型コネクタ２６に挿入されると、支柱４０は溝穴３８の端部と係合する。支柱４０は、雌型コネクタ２６上に浅く配置される。支柱４０の位置によって、典型的な雄型ルアーの完全な挿入及び係合が妨げられる。支柱４０の位置は、図５によって示すように、雄型コネクタ１２の一部のみが挿入されたとき、支柱４０が溝穴３８と係合するようになっている。次いで、雄型コネクタ１２を雌型コネクタ２６に完全に挿入するときには、雄型コネクタ１２を回転させ、それによって図６及び７の方向Ａとして示すように、支柱４０が上方へ、そしてさらに溝穴３８の中へ移動する。
【００２３】
（特許請求の範囲に記載された医療用接続装置の実施形態）
図８〜１０は、本体１４が少なくとも１つの尖端部４４を有する雄型コネクタ１２を有する接続装置１０を示している。図１０に示すように、雄型コネクタ１２は、スタンドオフ４８を有する管ポケット４６を含む。スタンドオフ４８は、雄型コネクタ１２を通過する流体が管ポケット４６の周縁経路５０を通って流れることができるように構成される。したがって流体は、雄型コネクタ１２を通る、より直接的な経路をとるようになる。雄型コネクタ１２はさらに、少なくとも１つの取り付け部５２を含む。取り付け部５２は、スナップ嵌め接続部のスナップ部５２とすることができる。
【００２４】
接続装置１０はさらに、図１１〜１２に示す雌型コネクタ２６を含み、雌型コネクタ２６は少なくとも１つの溝５４を含む（図１２）。溝５４は、雌型コネクタ２６の中に配置された複数のリブ６６の間に形成される。溝５４は、雄型コネクタ１２の尖端部４４に対応する。雄型コネクタ１２が雌型コネクタ２６に挿入されると、図１３に示すように、溝５４及び尖端部４４が噛み合うように係合し、雄型コネクタ１２を雌型コネクタ２６の中に整列させる。尖端部４４がより簡単に溝５４と整列するように、溝５４にはテーパが付けられる。雄型コネクタ１２は、尖端部４４が溝５４と係合するまで回転させることができる。ただ１つの尖端部４４が存在するようにしてもよいが、雄型コネクタ１２が、複数の対応する溝５４と係合する複数の尖端部４４を有することが企図される。尖端部４４及び溝５４が存在することによって、接続装置１０が典型的なＩＳＯの雄型及び雌型ルアー・コネクタに適合しないようになる。したがって接続装置は、誤ったコネクタ及びラインが患者に取り付けられないことを保証する。
【００２５】
雌型コネクタ２６は、図１１及び１２に示す隆起部５６も含む。隆起部５６は、図８に見られる雄型コネクタ１２のスナップ部５２と協働する。したがって図１３に示すように、雄型及び雌型コネクタ１２、２６を固定するには、スナップ部５２が隆起部５６上に嵌るようにする。これによってコネクタ１２、２６が互いに固定され、液密シールを形成することができる。雄型及び雌型コネクタ１２、２６の本体１４、２８は、それらを容易に結合させることができるように全体的に円筒形に成形される。しかし、本体１４、２８を他の形状に成形することも可能である。
【００２６】
図１２に示すように、雌型コネクタ２６はさらに、スタンドオフ６０を有する管ポケット５８を含む。管ポケット４６、５８は、典型的な大きさの静脈管類を受け入れるような大きさに作製される。スタンドオフ４８、６０は、管ポケット４６、５８内の管類が、管ポケットの基部にシールを形成するのを防止する。これは、流体が接続装置１０を通って、患者又は流体の受け入れ部へ流れるのを妨げる。
【００２７】
雄型コネクタ１２は少なくとも１つの翼部６２を含むこともでき、本体１４はノッチ６４を有することができる。図８〜１０に見られるように、翼部６２は本体１４から外側に延びるように成形される。ノッチ６４は、翼部６２が独立した可撓性を有することを可能にする。翼部６２を圧縮すると、雄型コネクタ１２のスナップ部５２が解放される。ノッチ６４によって、翼部６２が曲がって開き、雄型コネクタ１２の本体１４から離れることができるようになる。こうして、雄型コネクタ１２を雌型コネクタ２６から取り外すことができる。雄型コネクタ１２上に複数の翼部６２を含むことが可能であることが企図される。
【００２８】
雄型コネクタ１２の取り付け部５２をねじ切りすること、及び雌型コネクタ２６の隆起部５６をねじ切りすることが可能である。したがって、雄型及び雌型コネクタ１２、２６を固定するために、雄型コネクタ１２を雌型コネクタ２６上にねじ込むことができる。
【００２９】
（参考例３）
図１４〜１６に示す参考例３では、雄型コネクタ１２の尖端部４４は円周状とすることができる。図１６に示す尖端部４４は、やはり雌型コネクタ２６の溝５４と係合することができるように、その周縁部の内側では中空とすることができる。その場合、図１５に示す雌型コネクタ２６の溝５４も、雄型コネクタ１２の尖端部４４を受け入れることができるように円周状の形にすることができる。さらに図１４〜１５に示すように、雄型コネクタ１２の取り付け部５２をねじ切りすること、及び雌型コネクタ２６の隆起部５６をねじ切りすることが可能である。したがって、雄型及び雌型コネクタ１２、２６を固定するために、図１６に示すように、雄型コネクタ１２を雌型コネクタ２６上にねじ込むことができる。
【００３０】
要約すれば、雄型コネクタ及び雌型コネクタを有する接続装置が提供される。雌型コネクタは専用の雄型コネクタのみに適合し、それによって、誤った雄型コネクタとの誤接続を防止する。参考例１では、ある部材が、専用の雄型コネクタ以外の雄型コネクタが雌型コネクタに完全に挿入されるのを妨げる。参考例２では、支柱が、溝穴を含む専用の雄型コネクタ以外の雄型ルアーが雌型コネクタに完全に挿入されるのを妨げる。さらに特許請求の範囲に記載された医療用接続装置の実施形態では、雄型コネクタ内の一連の尖端部及び雌型コネクタ内の対応する溝が、適切な接続を保証する。雄型コネクタが雌型コネクタ内に挿入され固定されると、雄型コネクタと雌型コネクタの間に液密シールが形成される。したがって、開示した実施形態によって、病院職員が追加の予防処置を行う必要なしに、雄型及び雌型ルアー・コネクタの誤接続が防止される。
【００３１】
開示した実施例が詳しく記述及び図示されてきたが、それは説明のための実例にすぎず、限定するためのものと解釈すべきではないことを明確に理解されたい。
【００３２】
本明細書は以下の概念を開示している。
概念１
遠位端及び近位端を備えた本体、及び前記本体からの突起部を有する雄型コネクタであって、前記突起部がその遠位端に配置された開口部を有し、前記開口部が前記本体内に配置された流体通路と流体連通し、前記突起部が長さＬ１を有する雄型コネクタと、
遠位端及び近位端を備えた本体、前記本体内に配置された流体通路、及び前記本体内の前記流体通路に垂直な部材を有する雌型コネクタであって、前記部材が、前記雌型コネクタの前記近位端から長さＬ２のところに位置決めされて、前記突起部が該部材を越えて挿入されるのを妨げ、前記長さＬ１を有する突起部を備えた雄型コネクタのみが、前記雌型コネクタに完全に挿入可能になるように、Ｌ１＝Ｌ２である雌型コネクタと
を有する接続装置。
概念２
前記部材が、前記雌型コネクタの前記流体通路内に水平に位置決めされたバーである概念１に記載の接続装置。
概念３
前記突起部が、前記本体から、前記本体の前記遠位端より短く延びている概念２に記載の接続装置。
概念４
本体、遠位端及び近位端を有する雄型コネクタであって、前記本体の前記遠位端に開口部が配置され、前記開口部が前記本体内に配置された流体通路と流体連通し、前記雄型コネクタが、溝穴を備えた突起部を含む雄型コネクタと、
本体、遠位端及び近位端を有する雌型コネクタであって、前記本体内に流体通路が配置され、前記雌型コネクタが、前記本体内の前記流体通路に垂直な支柱をさらに有し、前記支柱が、前記雄型コネクタを該雌型コネクタに挿入する際に前記突起部の前記溝穴と係合する雌型コネクタと
を有する接続装置。
概念５
前記雄型コネクタの前記溝穴が、前記雄型コネクタの前記突起部のまわりの回転切除部である概念４に記載の接続装置。
概念６
前記回転切除部は、前記雄型コネクタを前記雌型コネクタに挿入すると、前記雄型コネクタが回転し、前記雌型コネクタの前記支柱が上方へ前記溝穴を移動するように構成されている概念５に記載の接続装置。
概念７
前記支柱が前記溝穴と係合するように、前記雄型コネクタの前記溝穴が１８０°で映し出され、且つ前記雌型コネクタの前記支柱が円筒形に成形されている概念６に記載の接続装置。
概念８
前記雌型コネクタの前記支柱は、前記雄型コネクタが前記雌型コネクタに部分的に挿入されると、前記雄型コネクタの前記溝穴と係合するように前記流体通路内に位置決めされている概念４に記載の接続装置。
概念９
前記雌型コネクタの前記流体通路内の前記支柱の位置が、所定の雄型コネクタとの係合を妨げる概念４に記載の接続装置。
概念１０
前記雄雌型コネクタがルアー・コネクタである概念４に記載の接続装置。
概念１１
少なくとも１つの尖端部を備えた本体を有する雄型コネクタであって、該雄型コネクタは、スタンドオフを備えた管ポケットをさらに有し、前記スタンドオフは、流体が前記管ポケットの周縁経路を通って流れることができるように構成されており、前記雄型コネクタが少なくとも１つの取り付け部を含む雄型コネクタと、
少なくとも１つの溝を備えた本体を有する雌型コネクタであって、前記溝は、前記雄型コネクタの前記尖端部に対応しており、且つ前記雄型コネクタが前記雌型コネクタに挿入されると前記雄型コネクタを整列させるようになっており、前記雌型コネクタは、前記雄型コネクタの前記取り付け部と協働して前記雄型コネクタを該雌型コネクタの中に固定する隆起部をさらに有し、前記雌型コネクタは、スタンドオフを備えた管ポケットを含む雌型コネクタと
を有する接続装置。
概念１２
前記雄型コネクタの前記本体が、少なくとも１つの翼部をさらに有し、且つ前記本体内にノッチをさらに有し、前記ノッチは、前記翼部が独立した可撓性を有することを可能にしている概念１１に記載の接続装置。
概念１３
前記雄型コネクタの前記取り付け部は、前記雌型コネクタの前記隆起部上に嵌ることによって該隆起部と係合するスナップ部である概念１２に記載の接続装置。
概念１４
前記翼部を圧縮すると、前記雄型コネクタの前記スナップ部が前記雌型コネクタの前記隆起部から解放され、それによって前記雄型コネクタを前記雌型コネクタから取り外すことができる概念１３に記載の接続装置。
概念１５
前記雄型コネクタの前記本体が複数の翼部を有している概念１２に記載の接続装置。
概念１６
前記雄型コネクタの前記取り付け部がねじ切りされており、やはりねじ切りされた前記雌型コネクタの前記隆起部と、該ねじ切りされた隆起部上にねじ込むことによって係合する概念１１に記載の接続装置。
概念１７
前記雄型コネクタの複数の尖端部が、前記雌型コネクタ上の複数の対応する溝と係合する概念１１に記載の接続装置。
概念１８
前記雄型コネクタ及び前記雌型コネクタの前記管ポケットが、典型的な静脈管類を受け入れるような大きさに作製される概念１１に記載の接続装置。
概念１９
前記雄型コネクタ及び雌型コネクタの前記スタンドオフは、前記静脈管類が前記雄型及び雌型コネクタの前記管ポケットの基部にシールを形成するのを防止する概念１８に記載の接続装置。
概念２０
前記雄型コネクタは、前記溝が前記尖端部と整列されるまで前記雌型コネクタ内で回転される概念１１に記載の接続装置。
概念２１
前記雄型コネクタの前記本体及び前記雌型コネクタの前記本体が、全体的に円筒形に成形される概念１１に記載の接続装置。
概念２２
標準的なＩＳＯのルアー・コネクタに適合しない概念１１に記載の接続装置。
【図１】
0005680693.tif 000002
【図２】
0005680693.tif 000003
【図３】
0005680693.tif 000004
【図４】
0005680693.tif 000005
【図５】
0005680693.tif 000006
【図６】
0005680693.tif 000007
【図７】
0005680693.tif 000008
【図８】
0005680693.tif 000009
【図９】
0005680693.tif 000010
【図１０】
0005680693.tif 000011
【図１１】
0005680693.tif 000012
【図１２】
0005680693.tif 000013
【図１３】
0005680693.tif 000014
【図１４】
0005680693.tif 000015
【図１５】
0005680693.tif 000016
【図１６】
0005680693.tif 000017